(57)【要約】【課題】カム体の逃がし路の底面の形状を少しだけ変更するという簡単な対策を講じるだけであるにもかかわらず、カードの挿入操作性を損なうことなく、落下衝撃などによるカードの不慮の排出を起こりにくくする。【解決手段】スライダを押込位置から押し込んだときに係止ピンの係止端を係止箇所ａからループ溝２１の復路始部２３ａへ逃がす逃がし路２６の底面に、上記係止箇所ａの底面に対して傾斜角を持ちかつ上記係止箇所側から段付面３１の上端側に向って上り勾配となる傾斜面３２が設けられている。上記係止端は筐体に備えられたばね片部によって逃がし路２６の底面方向に押圧されている。ばね片部はスライダの長手方向に細長にされており、ばね片部の長手方向は傾斜面３２の上り勾配の方向と交叉する方向にされている。【選択図】図６
2007200909.tif 000002
【特許請求の範囲】
【請求項１】
カード挿入空間を形成する筐体に、カード挿入空間に挿入されてきたカードに押されて待機位置からカードセット位置に対応する押込位置まで押し込まれかつその押込位置でカード排出方向に弾発付勢されるスライダが前後移動自在に取り付けられ、かつ、そのスライダを押込位置でロックする機能と押込位置でロックされたスライダのロック状態を解除する機能とを備えたカム機構を備え、
上記カム機構が、上記筐体と上記スライダのうちの一方側部材に取り付けられた係止ピンと、他方側部材に具備されて上記係止ピンの係止端が相対変位自在に嵌合されたループ溝とを備えるカム体とを有し、
そのカム体の上記ループ溝が、そのループ溝の往路を経由した上記係止端を係止することによって上記スライダをカードセット位置に対応する押込位置でロックする突起状の係止部と、上記スライダが押込位置から押し込まれたときに上記係止端を上記係止部との係止箇所から上記ループ溝の復路始部へ逃がす逃がし路と、スライダの後退時に上記復路始部へ逃がされた上記係止端に係止してその逆行を阻止することによりその係止端を復路内にとどめる段付面とを備え、上記係止端が上記逃がし路の底面に弾圧されるようになっているカードコネクタにおいて、
上記逃がし路の底面に、上記係止箇所の底面に対して傾斜角を持ちかつ上記係止箇所側から上記段付面の上端側に向って上り勾配となる傾斜面が設けられており、上記係止端が上記筐体に備えられたばね片部によって上記逃がし路の底面方向に押圧されており、上記ばね片部が上記スライダの長手方向において細長にされており、上記ばね片部の長手方向が上記傾斜面の上り勾配の方向と交叉する方向にされていることを特徴とするカードコネクタ。
【請求項２】
上記ループ溝の溝深さが、上記係止端の上記係止部との係止箇所で上記復路始部と同等の深さに形成されている請求項１に記載したカードコネクタ。
【請求項３】
上記ループ溝の溝深さが、上記係止端の上記係止部との係止箇所で上記復路始部よりも深く形成されている請求項１に記載したカードコネクタ。
【請求項４】
上記段付面の上端縁が、上記復路始部の底面に沿う片側縁とその片側縁の端部から上記係止部の根元に向かう下り勾配の他側縁とに分かれていると共に、上記傾斜面が、上記片側縁に向かう上り勾配の片側傾斜面と上記他側縁に向かう上り勾配の他側傾斜面とに分かれている請求項１ないし請求項３のいずれか１項に記載したカードコネクタ。
【請求項５】
上記他側傾斜面の底辺が上記逃がし路を横切り、上記片側傾斜面の底辺が、上記係止部に対向して上記逃がし路を形成している段付状の壁面に位置している請求項４に記載したカードコネクタ。
【請求項６】
上記筐体が、ボディとこのボディに装着された板金製のカバーとを有し、そのカバーに内向きに切起し形成されたばね片部を上記係止ピンに弾接させることにより上記係止端が上記逃がし路の底面に弾圧されている請求項１ないし請求項４のいずれか１項に記載したカードコネクタ。
【発明の詳細な説明】
【技術分野】
【０００１】
本発明は、カードコネクタ、特にカードの押込み操作を繰り返すことによってカードセット位置でのカードの位置決めとカードセット位置からのカードの排出とが交互に行われるようになっている所謂プッシュプッシュ型のカードコネクタに関する。
【背景技術】
【０００２】
従来、筐体のカード挿入空間に挿入したカードの最初の押込み操作によってスライダが待機位置から押込位置まで押し込まれ、押込位置に達したスライダがその位置でロックされてカードがカードセット位置に位置決めされるのに対し、２回目のカードの押込み操作によってスライダのロック状態が解除されて、そのスライダと共にカードが後退して排出されるようになっているカードコネクタが知られていた。そのようなコネクタの中で、スライダのロックやロック解除の機能をカム機構によって発揮させるものでは、そのカム機構が図１２又は図１３に示したように構成されていた。
【０００３】
図１２は従来のカードコネクタに採用されていたカム機構１０のカム体２０を示した概略斜視図、図１３はそのカム機構１０の要部の縦断側面図である。
【０００４】
カム機構１０はカム体２０とばね性を備えた線材を曲成することにより形成された係止ピン４０とを備えている。カム体２０にはループ溝２１が形成されていて、そのループ溝２１には、往路２２と復路２３のほか、それらの間に形成された突起状の係止部２４や、往路終部２２ａから係止部２４に至る導入路２５、係止部２４から復路始部２３ａに至る逃がし路２６などが備わっている。そして、ループ溝２１は全体として細長いハート形状に形成されていて、上記の導入路２５と逃がし路２６とがハート形の凹み箇所を形作っている。
【０００５】
このカム機構１０において、カム体２０は図１３の矢印Ａで示す付勢力でその矢印Ａの方向に弾発付勢されている。これに対し、係止ピン４０は、その基部（不図示）が定位置に揺動自在に支持され、先端部の係止端４１が上記ループ溝２１に常時嵌合されていて、初期位置では、その係止端４１が往路２２の始部と復路２３の終部との合流箇所２７に位置している（この状態は図示していない）。また、係止ピン４０はそれ自体の弾性又は図示していないばね片の作用によってループ溝２１の底面に常時弾圧されている。
【０００６】
そして、係止ピン４０の係止端４１がループ溝２１の合流箇所２７に位置している状態からカム体２０が付勢力Ａに抗して押し込まれると、係止端４１がループ溝２１の往路２２を移動して往路終部２２ａに達し、その時点で押込み力が解除されると、付勢力Ａによりカム体２０が押し戻されて係止端４１が導入路２５を移動して図１２のように係止部２４に係止される。次に、カム体２０が付勢力Ａに抗して押し込まれると、係止端４１が逃がし路２６を移動して復路始部２３ａに達し、その時点で押込み力が解除されると、付勢力Ａによりカム体２０が押し戻されて係止端４１が復路２３を移動して合流箇所２７に戻る。
【０００７】
従来のカードコネクタにおいて、カム体２０は、カード挿入空間を形成する筐体（不図示）に前後移動自在に取り付けられたスライダ（不図示）に一体に設けられていて、上記付勢力Ａがそのスライダに対して加えられている。また、スライダは、カード挿入空間に挿入されてきたカードに押されて待機位置からカードセット位置に対応する押込位置まで押し込まれるようになっている。そして、図１３のように係止端４１が係止部２４に係止することによって、そのスライダが押込位置でロックされる。したがって、１回目のカードのプッシュ操作によってカードがカードセット位置に位置決めされてカード側の電極が筐体側に設けられているコンタクトに接触して両者が電気的接続される。これに対し、スライダがロックされている状態からカードによりスライダが押し込まれると、上記のように係止端４１が逃がし路２６を移動して係止部２４から外れるのでスライダのロック状態が解除され、その後、係止端４１が復路２３を経由して合流箇所２７に戻ることによりカードが排出される。したがって、２回目のカードのプッシュ操作によってスライダのロック状態が解除され、カードセット位置に位置決めされていたカードが排出される。
【０００８】
図１２又は図１３で判るように、従来のカードコネクタに採用されていたカム機構１０では、そのカム体２０のループ溝２１の逃がし路１６と復路２３との境に段付面３１が備わっている。そして、係止端４１が逃がし路２６を移動して復路始部２３ａに達した後では、その段付面３１がカム体２０の後退時に係止端４１と摺動することによりその係止端４１を復路２３内にとどめ、それによって係止端４１が係止部２４との係止箇所ａに逆行することを阻止している。また、逃がし路２６の底面２６ａが水平面として形成されていて、カードの２回目のプッシュ操作では、上記したばね片の作用によって逃がし路２６の水平な底面２６ａに弾圧されている係止端４１が、その底面２６ａ上で滑り、段付面３１を乗り越えて復路始部２３ａに達する。
【０００９】
一方、先行例には、上記したカム機構１０と同種のカム機構を採用することによってスライダをロックしたりそのロック状態を解除したりすることが記載されている（たとえば特許文献１参照）。
【００１０】
また、他の先行例には、上記したカム機構１０と同種のカム機構を採用することによってスライダをロックしたりそのロック状態を解除したりすることが記載されているほか、カードをカードセット位置に位置決めする手段として、スライダに設けた弾性ロック片をカードの切き欠に直接に係止させるという手段を採用することや、カム機構の係止ピンの係止端を、筐体を形成している金属カバーに切起し形成したばね片部によってカム体側のループ溝の底面に弾圧させるようにすることなどが記載されている（たとえば特許文献２参照）。
【００１１】
【特許文献１】特許第３０８３７７８号公報
【特許文献２】特開２００２−１３４２２４号公報
【発明の開示】
【発明が解決しようとする課題】
【００１２】
図１２又は図１３で説明したカム機構１０において、スライダがその押込位置でロックされている状態、すなわち、係止ピン４０の係止端４１がカム体２０の係止部２４に係止している状態では、付勢力Ａによって係止部２４が係止端３１に押し付けられて係止されているために、スライダが後退してカードが排出されるような事態は起こらない。しかしながら、付勢力Ａよりも大きい何らかの力、たとえば落下衝撃の反作用などによりスライダに付勢力Ａよりも大きい力がその逆方向に加わったときは、カードの２回目のプッシュ操作が行われた場合と同様に、係止端４１が逃がし路２６を移動して復路始部２３ａに逃げるという事態が起こり得る。そのため、スライダのロック状態が解除されてカードが不慮に排出されてしまうという事態も起こり得る。特に、逃がし路２６の底面２６ａが水平面であり、しかも、段付面３１を境にして逃がし路２６の底面２６ａが高く、復路２３の底面が低くなっているために、そのような事態の起こりやすい状況が作り出されているということが云える。そして、スライダのロック状態が解除されることによってカードが不慮に排出されるという事態が起こると、カード側の電極と筐体側のコンタクトとの電気的接続が不慮に遮断されてしまってカード側や機器側の電子部品などに悪影響の及ぶおそれがある。
【００１３】
このような問題点は、上掲の先行例にも同様に存在する。特に、他の先行例として掲げた特許文献２では、カードセット位置のカードに弾性ロック片が係合してカードの不慮の排出がなされなくなっているものではあるけれども、その弾性ロック片がスライダに設けられているものであるため、スライダの押込位置でのロック状態が解除されるとそのスライダと共にカードも排出されてしまうので、この先行例に記載された技術によって上記問題点を解決することはできない。
【００１４】
本発明は以上の問題点に鑑みてなされたものであり、カム機構の構成を少しだけ変更するという簡単な対策を講じるだけであるにもかかわらず、落下の衝撃などによるカードの不慮の排出が起こりにくくなるカードコネクタを提供することを目的とする。
【課題を解決するための手段】
【００１５】
本発明に係るカードコネクタは、カード挿入空間を形成する筐体に、カード挿入空間に挿入されてきたカードに押されて待機位置からカードセット位置に対応する押込位置まで押し込まれかつその押込位置でカード排出方向に弾発付勢されるスライダが前後移動自在に取り付けられ、かつ、そのスライダを押込位置でロックする機能と押込位置でロックされたスライダのロック状態を解除する機能とを備えたカム機構を備え、上記カム機構が、上記筐体と上記スライダのうちの一方側部材に取り付けられた係止ピンと、他方側部材に具備されて上記係止ピンの係止端が相対変位自在に嵌合されたループ溝とを備えるカム体とを有し、そのカム体の上記ループ溝が、そのループ溝の往路を経由した上記係止端を係止することによって上記スライダをカードセット位置に対応する押込位置でロックする突起状の係止部と、上記スライダが押込位置から押し込まれたときに上記係止端を上記係止部との係止箇所から上記ループ溝の復路始部へ逃がす逃がし路と、スライダの後退時に上記復路始部へ逃がされた上記係止端に係止してその逆行を阻止することによりその係止端を復路内にとどめる段付面とを備え、上記係止端が上記逃がし路の底面に弾圧されるようになっている。この点は、図１２又は図１３で説明した従来例と同様である。
【００１６】
本発明では、この構成に、上記逃がし路の底面に、上記係止箇所の底面に対して傾斜角を持ちかつ上記係止箇所側から上記段付面の上端側に向って上り勾配となる傾斜面が設けられており、上記係止端が上記筐体に備えられたばね片部によって上記逃がし路の底面方向に押圧されており、上記ばね片部が上記スライダの長手方向において細長にされており、上記ばね片部の長手方向が上記傾斜面の上り勾配の方向と交叉する方向にされている、という構成が付け加えられている。
【００１７】
このように、上記逃がし路の底面に、上記係止箇所の底面に対して傾斜角を持ちかつ上記係止箇所側から上記段付面の上端側に向って上り勾配となる傾斜面が設けられており、上記係止端が上記筐体に備えられたばね片部によって上記逃がし路の底面方向に押圧されており、上記ばね片部が上記スライダの長手方向において細長にされており、上記ばね片部の長手方向が上記傾斜面の上り勾配の方向と交叉する方向にされているという構成が付け加えられていると、係止部との係止箇所から係止ピンの係止端が逃がし路を移動して復路始部へ移動する際に、上り勾配の傾斜面がその傾斜面に弾圧して摺動する係止端に抵抗（移動抵抗）を与えるため、落下衝撃の反作用などによって係止端が上記係止箇所から復路始部に逃げ出しにくくなる。その結果、落下などに起因して係止端が係止部から外れてスライダのロック状態が解除されるという事態が起こりにくくなり、カードセット位置に位置決めされていたカードが不慮に排出されてしまうという事態も起こりにくくなる。
【００１８】
本発明では、上記ループ溝の溝深さが、上記係止端の上記係止部との係止箇所で上記復路始部と同等の深さに形成されていても、上記係止端の上記係止部との係止箇所で上記復路始部よりも深く形成されていてもよい。このうち、上記係止箇所でのループ溝の溝深さを復路始部と同等の深さに形成したものでは、図１２で説明したような係止箇所ａでのループ溝の溝深さが復路始部２３ａよりも浅くなっているものに比べ、係止部２４に対する係止端４１の掛り幅が大きくなるので、係止端４１が係止部２４を乗り越えるという事態が起こりにくくなり、その結果、スライダの押込位置でのロック状態の安定性が向上する。また、ループ溝の溝深さを係止箇所ａと復路始部２３ａとで同等の深さに形成すると、係止箇所ａが図１２又は図１３で説明した従来例で最も深い箇所である復路始部２３ａと同等になるために、ループ溝２１の他の箇所の深さも浅くすることが可能になり、そのためにループ溝２１の深さを浅くすることによってカム体２０をスライダ７０と一体成形する場合にそのスライダ７０の薄型化を図りやすくなる。これに対し、上記係止箇所でのループ溝の溝深さを復路始部よりも深く形成したものでは、それらが同等の深さになっているものに比べて傾斜面の上り勾配が大きくなるので、係止端が逃がし路を移動して復路始部へ移動する際の傾斜面上での移動抵抗が大きくなる。そのため、落下衝撃の反作用などによって係止端が上記係止箇所から復路始部に逃げ出しにくくなって、落下などに起因して係止端が係止部から外れてスライダのロック状態が解除されるという事態が起こりにくくなり、カードセット位置に位置決めされていたカードが不慮に排出されてしまうという事態も起こりにくくなる。
【００１９】
本発明では、上記段付面の上端縁が、上記復路始部の底面に沿う片側縁とその片側縁の端部から上記係止部の根元に向かう下り勾配の他側縁とに分かれていると共に、上記傾斜面が、上記片側縁に向かう上り勾配の片側傾斜面と上記他側縁に向かう上り勾配の他側傾斜面とに分かれていることが望ましい。また、上記他側傾斜面の底辺が上記逃がし路を横切り、上記片側傾斜面の底辺が、上記係止部に対向して上記逃がし路を形成している段付状の壁面に位置していることが望ましい。これらの発明によると、逃がし路に単一の平坦な上り勾配の傾斜面を形成した場合のその傾斜面よりも、他側傾斜面の上り勾配が大きくなるので、係止端が逃がし路を移動して復路始部へ移動する際の他側傾斜面上での移動抵抗が大きくなり、それだけ落下衝撃の反作用などによって係止端が上記係止箇所から復路始部に逃げ出しにくくなって、落下などに起因して係止端が係止部から外れてスライダのロック状態が解除されるという事態が起こりにくくなり、カードセット位置に位置決めされていたカードが不慮に排出されてしまうという事態も起こりにくくなる。これらの発明の作用については次の実施形態を参照してさらに詳しく説明する。
【００２０】
本発明では、上記筐体が、ボディとこのボディに装着された板金製のカバーとを有し、そのカバーに内向きに切起し形成されたばね片部を上記係止ピンに弾接させることにより上記係止端が上記逃がし路の底面に弾圧されていることが望ましい。これによれば、係止端を逃がし路の底面に弾圧させるための部品が余分に必要なくなる。
【発明の効果】
【００２１】
本発明によれば、カム機構の構成、具体的にはカム体の逃がし路の底面の形状を少しだけ変更するという簡単な対策を講じるだけであるにもかかわらず、カードの挿入操作性を損なうことなく、落下衝撃などによるカードの不慮の排出が起こりにくくなる、という効果が奏される。
【発明を実施するための最良の形態】
【００２２】
図１は本発明の実施形態に係るカードコネクタの概略斜視図、図２は待機位置のスライダ７０にカード１００がハーフロックされている状態を筐体５０のカバー５５を省略して示した一部破断平面図、図３はカード１００によってスライダ７０が押込位置に押し込まれている状態を筐体５０のカバー５５を省略して示した一部破断平面図、図４はカード１００に１回目のプッシュ操作を行った状態を筐体５０のカバー５５を省略して示した一部破断平面図、図５はスライダ７０の平面図、図６はカム体２０の要部の斜視図、図７はカム機構１０の要部の平面図、図８は図７のＶＩＩＩ−ＶＩＩＩ線に沿う部分の断面図、図９は係止ピン４０とボディ５１との連結箇所を示した説明図、図１０は傾斜面３２の形状を示した斜視図、図１１は変形例による傾斜面３２の形状を示した斜視図である。
【００２３】
このカードコネクタは、図１のように、合成樹脂成形体でなるボディ５１とそのボディ５１に装着された板金製のカバー５５とを備えた筐体５０を有し、その筐体５０の内部には、ボディ５１とカバー５５とによって取り囲まれることによって形成されたカード挿入口（スロット）を備えるカード挿入空間が形成されている。図２のように、ボディ５１の前端部に多数のコンタクト５７が横に並べて配備されていて、それらのコンタクト５７がカード挿入空間に挿入されてカードセット位置に達したカード１００の電極に弾接して電気的接続が行われるようになっている。さらに、ボディ５１には、カード誤挿入を防ぐためにリブ状の突出部５０ａが備わっていて、図３又は図４のように、カード１００が適正姿勢でカード挿入空間に挿入されたときには、カード１００に具備されている溝部１３０に突出部５０ａが収容されるのに対し、カード１００が裏返し姿勢でカード挿入空間に挿入されたときには、カード１００の先端に突出部５０ａが突き当たってカード１００の誤挿入が防止されるようになっている。
【００２４】
図２〜図４のように、筐体１の内部にはスライダ７０が配備されていて、このスライダ７０がコイルばねでなるばね体５２により後方へ常時付勢されていて、そのスライダ７０の後端がボディ５１の後端の凸部５３に当たることによってスライダ７０が待機位置に位置決めされるようになっている。図５のように、スライダ７０は、前端部に内向きの突部７１を備えていて、図２のようにこの突部７１によって筐体１のカード挿入空間に挿入されてきたカード１００の前端コーナ部１１０を受け止めるようになっている。さらに、スライダ７０には、先端に山形係合部７５を備えた片持ち状の弾性片部７６が一体成形されている。
【００２５】
カム機構１０は、図５〜図８で判るように、カム体２０とばね性を備えた線材を背低門形に曲成することにより形成された係止ピン４０とを備えていて、カム体２０が図５のようにスライダ７０に一体に成形されているのに対し、図９のように、係止ピン４０の後端側の脚部４２がボディ５１の上記凸部５３に具備された支持孔５４（図２又は図３参照）に回転自在に嵌合状に支持されている。また、係止ピンの前端部は係止端４１として形成されている。
【００２６】
カム体２０のループ溝２１は図１２で説明したものと略同様の形に形成されている。すなわち、図６又は図７のように、往路２２と復路２３のほか、それらの間に形成された突起状の係止部２４や、往路終部２２ａから係止部２４に至る導入路２５、係止部２４から復路始部２３ａに至る逃がし路２６などが備わっている。そして、ループ溝２１は全体として細長いハート形形状に形成されていて、上記の導入路２５と逃がし路２６とがハート形の凹み箇所を形作っている。そして、係止ピン４０の係止端４１がループ溝２１に嵌合されていて、スライダ７０が待機位置に位置しているときには、図２のように係止端４１が往路２２の始部と復路２３の終部との合流箇所２７である初期位置に位置している。また、係止ピン４０には上記カバー５５に内向きに切起し形成されたばね片部５６が重ね合わされ、このばね片部５６の弾性によって係止ピン４０の係止端４１が上記ループ溝２１の底面に常時弾圧されている。
【００２７】
以上の構成で、図２のようにカード挿入空間に適正姿勢で挿入されたカード１００の前端コーナ部１１０が、ばね体５２によって待機位置まで後退させられているスライダ７０の山形係合部７５を乗り越えてスライダ７０の突部７１に突き当たると、カード１００に備わっている凹入部１２０に山形係合部７５が嵌合する。この状態はカード１００のハーフロック状態であり、このハーフロック状態では、カード１００の自由な抜出しが凹入部１２０と山形係合部７５との係合によって防止され、カード１００にある程度の引抜き力が加えられると、カード１００が山形係合部７５を乗り越えて引き抜かれる。
【００２８】
図２の状態からカード１００に対して１回目のプッシュ操作が行われると、スライダ７０と共にカム体２０がばね体５２の付勢力Ａに抗してカード１００によって押し込まれるため、係止ピン４０の係止端４１がループ溝２１の合流箇所２７から往路２２を移動して往路終部２２ａに達し（このときのスライダ７０の位置を図４に示してある）、その時点で押込み力が解除されると、付勢力Ａによりスライダ７０と共にカム体２０が押し戻されて係止端４１が導入路２５を移動して図７又は図８のように係止部２４に係止される（このときのスライダ７０の位置を図３に示してある）。次に、カード１００に対して２回目のプッシュ操作が行われると、スライダ７０と共にカム体２０が付勢力Ａに抗して押し込まれ、係止端４１が逃がし路２６を移動して復路始部２３ａに達し、その時点で押込み力が解除されると、付勢力Ａによりカム体２０が押し戻されて係止端４１が復路２３を移動して合流箇所２７に戻る。
【００２９】
したがって、プッシュプッシュ操作によってカード１００のカードセット位置への挿入とカードセット位置からの排出とが行われ、１回目のプッシュ操作では、スライダ７０が待機位置からカードセット位置に対応する押込位置まで押し込まれ、かつ、係止端４１が係止部２４に係止してスライダ７０が押込位置でロックされることにより、スライダ７０にハーフロックされているカード１００がカードセット位置に位置決めされてカード側の電極がボディ５１側に設けられているコンタクトに接触して両者が電気的接続される。これに対し、２回目のプッシュ操作では、係止端４１が逃がし路２６を移動して係止部２４から外れるのでスライダ７０のロック状態が解除され、その後、係止端４１が復路２３を経由して合流箇所２７に戻ることによりカードが排出される。
【００３０】
図６〜図８又は図１０のように、この実施形態では、カム体２０のループ溝２１の逃がし路２６の底面に、逃がし路２６と復路始部２３ａとの境に位置する段付面３１の上端縁に向かう上り勾配を持つ傾斜面３２が備わっている。そして、この実施形態では、図１０のように、段付面３１の上端縁が、水平な復路始部２３の底面に平行な片側縁３３とその片側縁３３の端部から係止部２４の根元に向かう下り勾配の他側縁３４とに分かれていて、上記傾斜面３２が、片側縁３２に向かう上り勾配の片側傾斜面３２ａと他側縁３４に向かう上り勾配の他側傾斜面３２ｂとに分かれている。そして、他側傾斜面３２ｂの底辺３２ｂ’が逃がし路２６を横切り、片側傾斜面３２ａの底辺３２ａ’が、係止部２４に対向して逃がし路２６を形成している段付状の壁面３５に位置している。
【００３１】
このように、逃がし路２６の底面に、段付面３１の上端縁に向かう上り勾配を持つ傾斜面３２が備わっていると、図８のように係止部２４に係止している係止端４１が、その係止箇所ａから逃がし路２６（図６又は図１０参照）を移動して復路始部２３ａへ移動する際に、上り勾配の傾斜面３２がばね片部５６の付勢によってその傾斜面３２に弾圧して摺動する係止端４１に移動抵抗を与える。加えて、スライダ７０には、ばね体５２による付勢力Ａが作用しているので、落下衝撃の反作用などによって係止端４１が係止箇所ａから復路始部２３ａに逃げ出しにくくなり、落下などに起因して係止端４１が係止部２４から外れてスライダ７０のロック状態が解除されるという事態が起こりにくくなる。したがって、カードセット位置に位置決めされていたカード１００が不慮に排出されてしまうという事態も起こりにくくなる。
【００３２】
また、この実施形態では、ループ溝２１の溝深さが、係止端４１の係止部２４との係止箇所ａで復路始部２３ａよりも深く形成されている。この点に関し、ループ溝２１の溝深さは、係止端４１の係止部２４との係止箇所ａで復路始部２３ａと同等の深さに形成することも可能である。しかし、係止箇所ａでのループ溝２１の溝深さを復路始部２３ａよりも深く形成しておくと、それらが同等の深さになっているものに比べて片側傾斜面３２ａや他側傾斜面３２ａのそれぞれの上り勾配が大きくなるので、係止端４１が逃がし路２６を移動して復路始部２３ａへ移動する際のそれらの傾斜面３２ａ，３２ｂ上での移動抵抗が大きくなる。そのため、落下衝撃の反作用などによって係止端４１が係止箇所ａから復路始部２３ａに逃げ出しにくくなって、落下などに起因して係止端４１が係止部２４から外れてスライダ７０のロック状態が解除されるという事態がきわめて起こりにくくなり、カードセット位置に位置決めされていたカード１００が不慮に排出されてしまうという事態もきわめて起こりにくくなる。また、係止箇所ａでのループ溝２１の溝深さを復路始部２３ａよりも深く形成したものでは、係止部２４に対する係止端４１の掛り幅が大きくなるので、係止端４１が係止部２４を乗り越えるという事態が起こりにくくなり、その結果、スライダの押込位置でのロック状態の安定性も向上する。他方、ループ溝２１の溝深さを、係止箇所ａと復路始部２３ａとで同等の深さに形成した場合には、係止箇所ａが図１２又は図１３で説明した従来例で最も深い箇所である復路始部２３ａと同等であるために、ループ溝２１の他の箇所の深さも浅くすることが可能になり、そのためにループ溝２１の深さを浅くすることによってカム体２０を一体成形したスライダ７０の薄型化を図りやすくなる。
【００３３】
さらに、この実施形態では、段付面３１の上端縁を、水平な復路始部２３の底面に平行な片側縁３３とその片側縁３３の端部から係止部２４の根元に向かう下り勾配の他側縁３４とに分け、傾斜面３２をそれらに向かう上り勾配の各別の片側傾斜面３２ａと他側縁３４に向かう上り勾配の他側傾斜面３２ｂとに分けている。これに対し、図１１に示した変形例のように、段付面３１の上端縁に向かう上り勾配の傾斜面３２を単一の平坦な面によって形成することも可能である。しかし、傾斜面３２を片側傾斜面３２ａと他側傾斜面３２ｂとに分けている図１０の事例では、傾斜面３２を単一の平坦な面によって形成した図１１の事例に比べて、他側傾斜面３２ｂの上り勾配が図１１の傾斜面３２よりも大きくなり、そのために、係止端４１が逃がし路２６を移動して復路始部２３ａへ移動する際の他側傾斜面上３２ｂでの移動抵抗が大きくなって、落下衝撃の反作用などによってスライダ７０がロック解除されにくくなる。
【００３４】
さらに、図１０の事例のように段付面３１の上端縁のうちの他側端縁３４を係止部２４の根元に向けて傾斜させたり、図１１の事例のように段付面３１の上端縁を係止部２４の根元に向けて傾斜させたりしておくと、上記した移動抵抗を発生させ得るものであるにもかかわらず、係止端４１が逃がし路２６から段付面３１を乗り越えて復路始部２３ａに移動する動作が円滑に行われやすくなり、その乗り越え時に異音が発生しにくくなる。
【００３５】
上記した実施形態では、カム機構１０のカム体２０をスライダ７０側に、係止ピン４０を筐体５０側に配備した事例を説明したけれども、この点は、カム体を筐体側に、係止ピンをスライダ側に配備することも可能である。また、カード挿入空間に挿入されたカード１００をハーフロックする山形係合部７５を、スライダ７０に一体成形した片持ち状の弾性片部７６に具備させた事例を示したけれども、スライダに取り付けた別部品としてのばね片の先端部を山形に折り曲げて山形係合部として形成することも可能である。
【００３６】
図１〜図１３において、同一又は相応する要素には同一符号を付してある。
【図面の簡単な説明】
【００３７】
【図１】本発明の実施形態に係るカードコネクタの概略斜視図である。
【図２】待機位置のスライダにカードがハーフロックされている状態を示した一部破断平面図である。
【図３】スライダが押込位置に押し込まれている状態を示した一部破断平面図である。
【図４】１回目のプッシュ操作を行った状態を示した一部破断平面図である。
【図５】スライダの平面図である。
【図６】カム体の要部の斜視図である。
【図７】カム機構の要部の平面図である。
【図８】図７のＶＩＩＩ−ＶＩＩＩ線に沿う部分の断面図である。
【図９】係止ピンとボディとの連結箇所を示した説明図である。
【図１０】傾斜面の形状を示した斜視図である。
【図１１】変形例による傾斜面の形状を示した斜視図である。
【図１２】従来のカードコネクタに採用されていたカム機構のカム体を示した概略斜視図である。
【図１３】図１２のカム体を備えるカム機構１０の要部の縦断側面図である。
【符号の説明】
【００３８】
１０  カム機構
２０  カム体
２１  ループ溝
２２  ループ溝の往路
２３  ループ溝の復路
２３ａ  復路始部
２４  係止部
２６  逃がし路
３１  段付面
３２  傾斜面
３２ａ  片側傾斜面
３２ａ’  片側傾斜面の底辺
３２ｂ  他側傾斜面
３２ｂ’  他側傾斜面の底辺
３３  片側縁
３４  他側縁
３５  壁面
４０  係止ピン
４１  係止端
５０  筐体
５１  ボディ
５５  カバー
５６  ばね片部
７０  スライダ
１００  カード
【図１】
2007200909.tif 000003
【図２】
2007200909.tif 000004
【図３】
2007200909.tif 000005
【図４】
2007200909.tif 000006
【図５】
2007200909.tif 000007
【図６】
2007200909.tif 000008
【図７】
2007200909.tif 000009
【図８】
2007200909.tif 000010
【図９】
2007200909.tif 000011
【図１０】
2007200909.tif 000012
【図１１】
2007200909.tif 000013
【図１２】
2007200909.tif 000014
【図１３】
2007200909.tif 000015